(57)【特許請求の範囲】
【請求項１】
前半部分の側縁には刃先を、後半部分には柄をそれぞれ備えた第１刃体および第２刃体がそれぞれの刃先で向かい合ってＸ字状に交差するように重ね合わされ、その交差部に支点を形成した鋏において、一方の刃体の前半部分の内面に挟持部材の略中央部を回動自在に軸支し、該挟持部材は、他方の刃体の刃先に対面する側縁の後端部近傍に一対の刃体による被切断物の切断完了直前に他方の刃体の刃先後端部近傍に当接可能な突出部を有し、一対の刃体による被切断物の切断時に、挟持部材の突出部を他方の刃体の刃先後端部近傍に当接させて挟持部材をその側縁前端部が他方の刃体の刃先前端部と接触する方向に強制的に回動させ、挟持部材の側縁前端部と他方の刃体の刃先前端部との間で被切断片を挟持することを特徴とする鋏。
【請求項２】
前記挟持部材の側縁には、その突出部から前方に向けて一定長さの凹部が形成されていることを特徴とする請求項１記載の鋏。
【発明の詳細な説明】
【０００１】
【発明の属する技術分野】
本発明は、鋏、特に被切断物の切断時に被切断片を落下させることなく挟持することができる鋏に関するものである。
【０００２】
【従来の技術】
一般に、洋鋏１０は、図９に示すように、２本の刃体１１，１２が互いに交差した状態で支軸１３によって回動自在に軸支され、該支軸１３を支点ＳとするようなＸ字形構造を有している。そして、刃体１１，１２の刃先１１ａ，１２ａ同士の擦り合わせ状態がその支軸１３で維持されるようになっている。
【０００３】
このような鋏１０においては、支軸１３を必要とする関係で薄形化が困難である他、鋏１０を構成する部品として２本の刃体１１，１２と支軸１３を加えた３点が必要となって支軸１３を持たない和鋏に比べて多く、また、鋏１０の組み立てに手数がかかるという問題がある。このような問題に対応して、支軸を持たない鋏が提案されている（例えば、特公平１−４８７８２号公報参照）。
【０００４】
まず、前述した支軸を持たない鋏について、図４乃至図８に基づいて説明する。
【０００５】
図４には、支軸を持たない鋏１が示されており、この鋏１は、Ｘ字形に交差するように重ね合わされた薄板材からなる第１刃体２および第２刃体３とからなり、これらの各刃体２，３の前半部分の側縁には互いに向かい合う刃先２１，３１が形成され、その後半部分には指先を通せる穴２２ａ，３２ａを有する柄２２，３２が形成されている。
【０００６】
そして、これらの各刃体２，３の互いに重ね合わされる交差部分２３，３３の各中央には、Ｃ字状のスリット２３ａ，３３ａで周囲から区画された舌片２４，３４が形成されている（図５参照）。これらの舌片２４，３４は、重ね合わせられる相手側刃体２，３の方向に偏位している。すなわち、図８（ａ）に示すように、第１刃体２に形成された舌片２４は第２刃体３の方向に、また、第２刃体３に形成された舌片３４は第１刃体２の方向に、それぞれ各刃体２，３の厚みｔを越えない範囲で該厚みｔと同等もしくはきわめて近似した量ｅだけそれぞれ偏位させられている。
【０００７】
さらに、それらの各舌片２４，３４が周囲と連続する部分２３ｂ，３３ｂは、それぞれ舌片２４，３４を基準として互いに反対側の位置にある。例えば、図５に明瞭に示すように、第１刃体２の舌片２４が連続する部分２３ｂは、刃先２１寄りに位置し、また、第２刃体３の舌片３４が連続する部分３３ｂは、柄３２寄りに位置している。
【０００８】
そして、これらの舌片２４，３４のうち、一方の舌片２４の中央部には隆起部２４ａが形成され、他方の舌片３４の中央部には小孔３４ａが形成されている。この一方の舌片２４に形成された隆起部２４ａは、その舌片２４の前述した偏位方向と逆の方向へその偏位量ｅを越えない範囲で突出している。
【０００９】
このように構成した刃体２，３によって鋏１を組み立てる場合は、両刃体２，３を偏位量ｅだけ突出する舌片２４，３４同士を向かい合わせて重ね合わせ、各舌片２４，３４の先端を突き合わせる（図８（ｂ）参照）。次いで、各舌片２４，３４に、その偏位量ｅを一時的に増加させるような弾性変形を強制的に発生させつつ各舌片２４，３４の先端を相手側刃体のスリット２３ａ，３３ａに差し入れ、図８（ｃ）に示すように、各刃体２，３を互いに反対向きの矢印方向へずらせ、それらの舌片２４，３４の先端を互い相手側の先端裏側へ入り込ませる。続いて、両刃体２，３をさらに矢印の方向へずらせると、やがては舌片２４の隆起部２４ａと、舌片３４の小孔３４ａとが一致し、それまで弾性変形を生じていた各舌片２４，３４が復元してその小孔３４ａに隆起部２４ａが嵌まり込むものである。
【００１０】
【発明が解決しようとする課題】
ところで、前述した鋏によって紙などの被切断物を切断した場合、被切断物は二つに分割される結果、分割された一方の切断片は残りの手で把握することができるものの、他方の切断片は机上などに落下することになる。この傾向は、被切断片が紙などの隅部のように小片である場合に特に顕著である。したがって、落下した切断片が机上の他の資料に紛れるおそれがある他、その切断片を他の資料から選別して拾い上げる必要があり、作業が煩雑になるという問題があった。
【００１１】
なお、一方の刃体の外面および他方の刃体の内面にそれぞれ対向するように挟持体を設け、枝などの被切断物を切断した際、被切断片を対向する挟持体によって挟持する長尺鋏が知られている（例えば、実公昭６２−２２１２６号公報参照）。
【００１２】
しかしながら、このような鋏によって被切断物を切断した場合、被切断物の切断が完了して始めて対向する挟持体によって被切断片を挟持することになる。したがって、刃体の刃先の重合距離以下の厚みの被切断物、例えば、紙などを切断する場合、その切断直後では挟持体同士が接触せずに若干の距離をおいて向かい合っていることから、被切断片を確実に挟持することができないという欠点があった。
【００１３】
本発明は、このような問題点に鑑みてなされたもので、被切断物が薄い紙などの場合であってもその被切断片を確実に挟持することのできる鋏を提供するものである。
【００１４】
【課題を解決するための手段】
本発明は、前半部分の側縁には刃先を、後半部分には柄をそれぞれ備えた第１刃体および第２刃体がそれぞれの刃先で向かい合ってＸ字状に交差するように重ね合わされ、その交差部に支点を形成した鋏において、一方の刃体の前半部分の内面に挟持部材の略中央部を回動自在に軸支し、該挟持部材は、他方の刃体の刃先に対面する側縁の後端部近傍に一対の刃体による被切断物の切断完了直前に他方の刃体の刃先後端部近傍に当接可能な突出部を有し、一対の刃体による被切断物の切断時に、挟持部材の突出部を他方の刃体の刃先後端部近傍に当接させて挟持部材をその側縁前端部が他方の刃体の刃先前端部と接触する方向に強制的に回動させ、挟持部材の側縁前端部と他方の刃体の刃先前端部との間で被切断片を挟持することを特徴とするものである。
【００１５】
【発明の実施の形態】
以下、本発明の実施例の形態を図面に基づいて説明する。
【００１６】
なお、図４乃至図８に示した鋏１を構成する要素と同一の要素には同一の符号を用いるものとし、それらの詳細な説明は重複するため省略する。
【００１７】
図１には、本発明の鋏１Ａが示されており、この鋏１Ａを構成する第１刃体２の内面には挟持部材４がその略中央部において回動自在に軸支されている。そして、挟持部材４は、第２刃体３の刃先３１に対面する側縁４１が第１刃体２の刃先２１から一定距離をおくように設けられ、刃先２１，３１を閉じた場合、第２刃体３の刃先３１が第１刃体２の刃先２１に重合し、その際、後述するように、挟持部材４の側縁４１の前端部近傍と当接するものである。
【００１８】
また、挟持部材４の側縁４１の後端部近傍には、該側縁４１の延長線４１ｊを僅かに越える突出部４１ａが形成されており、この突出部４１ａは、一対の刃体２，３による紙などの被切断物Ｐの切断完了直前に第２刃体３の刃先３１の後端部近傍に当接し、挟持部材４をその側縁４１の前端部が第２刃体３の刃先３１の前端部と当接する方向に回動させるものである。そして、刃先２１，３１による切断が完了した際、それらは重合し、その際、刃先３１の後端部近傍が挟持部材４の突出部４１ａと当接したまま、挟持部材４１の側縁４１の前端部が刃先３１の前端部と当接するように設定されている。
【００１９】
さらに、挟持部材４１の側縁４１には、突出部４１ａから前方に向かって一定長さの凹部４１ｂが形成されている。
【００２０】
したがって、このような鋏１Ａを用いて紙などの被切断物Ｐを切断する場合、切断完了直前に挟持部材４１の突出部４１ａが第２刃体３の刃先３１の後端部に当接する。そして、なおも刃先２１，３１を閉じて切断作業を継続すると、挟持部材４は、その突出部４１ａが第２刃体３の刃先３１に押圧されることにより、図２（ａ）に示すように、側縁４１の前端部が第２刃体３の刃先３１の前端部に接近する方向（図２（ａ）の矢印方向）に強制的に回動させられる。
【００２１】
この結果、被切断物Ｐの切断完了時において、挟持部材４の側縁４１の前端部と第２刃体３の刃先３１の前端部とが当接し、両者の間で被切断片Ｐ１（図２（ｂ））を落下させることなく確実に挟持することができるものである。
【００２２】
この場合、刃先２１，３１の後端部側で被切断物Ｐを切断している場合は、被切断物Ｐは切り離されてはおらず、この状態で切断片を挟持する必要はない。したがって、挟持部材４の側縁４１の後端部に形成された凹部４１ｂは、切断開始時においては、被切断物Ｐを挟持しないことを示している。また、被切断物Ｐが紙などの隅部のような小片である場合、刃体２，３の刃先２１，３１の後半部で切断すると、挟持部材４の先端部との間でその被切断片Ｐ１を挟持しないまま切り離されることから、凹部４１ｂは、その近傍である刃先２１，３１の後半部によって切断することがないように合わせて注意を喚起している。
【００２３】
なお、挟持部材４の側縁４１の前端部と刃体３の刃先３１の前端部とが当接すれば被切断片Ｐ１を挟持することができることから、刃体３の刃先３１が一定の刃先角を有する場合であってもよく、また、挟持部材４の側縁４１も第１刃体２の内面に直交する平面以外に傾斜面であってもよく、刃先３１の形状および挟持部材４の先端面形状を限定するものではない。
【００２４】
また、前述した実施形態においては、支軸を持たない鋏１に挟持部材４を設けて例示したが、図９に示した一般の洋鋏に挟持部材４を設けるようにしてもよい。
【００２５】
【発明の効果】
以上のように本発明によれば、紙などの薄い被切断物を切断する場合であっても、切断完了時において、強制的に回動させられた挟持部材の側縁前端部と他方の刃体の刃先の前端部との間で被切断片を落下させることなく確実に挟持することができる。
【図面の簡単な説明】
【図１】本発明の鋏を示す背面図である。
【図２】本発明の鋏による被切断物の切断完了直前の工程を示す背面図である。
【図３】本発明の鋏による被切断物の切断完了時を示す斜視図である。
【図４】出願人が先に提案した支軸を持たない鋏の正面図である。
【図５】図４の鋏を分解して示す正面図である。
【図６】図４のＸ−Ｘ線断面図である。
【図７】図４のＹ−Ｙ線断面図である。
【図８】図４の鋏の組み立て工程を一部省略して示す断面図である。
【図９】一般の洋鋏を示す正面図である。
【符号の説明】
１Ａ  鋏
２，３  刃体
２１，３１  刃先
２２，３２  柄
２３，３３  交差部分
２３ａ，３３ａ  スリット
２４，３４  舌片
２４ａ  隆起部
３４ａ  小孔
４  挟持部材
４１  側縁
４１ａ  突出部
４１ｂ  凹部
Ｓ  支点
Ｐ  被切断物
Ｐ１  被切断片
【図１】
0004094711.tif 000002
【図２】
0004094711.tif 000003
【図３】
0004094711.tif 000004
【図４】
0004094711.tif 000005
【図５】
0004094711.tif 000006
【図６】
0004094711.tif 000007
【図７】
0004094711.tif 000008
【図８】
0004094711.tif 000009
【図９】
0004094711.tif 000010